(57)【要約】【課題】照光可能な操作キーを備え、着脱可能な複数の記録媒体を持つ記録装置において、記録媒体の記録再生状態を安価かつ簡単な方法で使用者に知らしめる。【解決手段】複数の記録媒体の記録状態、再生状態を照光可能な操作キーの照光状態で表示する。【選択図】　　　　図１
2004005791.tif 000002
【特許請求の範囲】
【請求項１】
照光可能な操作キーを備え、着脱可能な複数の記録媒体を有し、撮像素子からの画像信号を記録する記録装置において、複数の記録媒体の記録状態を前出の照光可能な操作キーの照光状態で表示することを特徴とする記録装置。
【請求項２】
特許請求第１項の記録装置において、複数の記録媒体の再生が可能であるとともに、この再生状態を前出の照光可能な操作キーの照光状態で表示することを特徴とする記録装置。
【発明の詳細な説明】
【０００１】
【発明の属する技術分野】
本発明は照光可能な操作キーを備え、着脱可能な複数の記録媒体を有し、撮像素子からの画像信号を記録する記録装置に関するものである。
【０００２】
【従来の技術】
従来記録装置例えばビデオカメラレコーダーにおいて、照光可能な操作キーを備えることで暗い使用条件下でも操作キーの位置、種類が認識できるものが提案されている。
【０００３】
更にビデオカメラレコーダーにおいては記録媒体としてテープを用いてきたが、パソコンへの画像取り込みの利便性からある一定量のメモリを備えたカードの記録再生機能を併設しているものがある。これらは例えば、長時間撮影にはテープを用い、パソコンへの静止画／動画の画像取り込みにはメモリカードを使うというすみわけを行なっている。更にメモリ容量の関係から複数枚のメモリカードを備えているものも提案されている。
【０００４】
【発明が解決しようとする課題】
メモリカードはビデオカメラレコーダー本体の所定個所に着脱可能に設定されている。メモリカード挿入口には専用蓋が設けられ、使用者はこの蓋を開け、メモリカードの着脱を行なう。メモリカードが本体に装着され、メモリカードに情報を記録している際、このメモリカードを取り外すと記録しようとしていた情報のみでなく、既に記録済みの情報も消失する場合がある。この為、メモリカードの記録中には挿入口の蓋が開けられないことが望ましい。しかし、このような構成は蓋のロック構造が複雑となるばかりでなくコストの上昇も考えられる。従って、通常はメモリカードに情報を記録している又はメモリカードから情報の再生を行なっていることを示すアクセスランプを点滅させることで、使用者に注意を促すことが行なわれている。
【０００５】
本発明の目的は、安価かつ簡単な方法で、メモリカードの記録／再生状態を使用者に知らしめる事にある。
【０００６】
【課題を解決するための手段】
本発明において前記目的を達成する為に
請求項第１では、照光可能な操作キーを備え、着脱可能な複数の記録媒体を有し、撮像素子からの画像信号を記録する記録装置において、複数の記録媒体の記録状態を前出の照光可能な操作キーの照光状態で表示することで従来、記録媒体の記録状態表示を行なっていた表示手段を廃止することができる。
【０００７】
請求項第２項では、特許請求第１項の記録装置において、複数の記録媒体の再生が可能であるとともに、この再生状態を前出の照光可能な操作キーの照光状態で表示することで従来、記録媒体の再生状態表示を行なっていた表示手段を廃止することができる。
【０００８】
【発明の実施の形態】
以下本発明の実施の形態について説明するが、記録装置としてはビデオカメラレコーダーを実施例とする。
【０００９】
また記録媒体もテープ、ディスク、メモリー等存在しているが、ここではテープを実施例とする。
【００１０】
（実施例）
（第１の実施例）
図１は本発明のビデオカメラレコーダーを側面から見た図であり、この図において１はビデオカメラレコーダー本体、１ａは本体上に配される操作キー、１ｂはＬＣＤ表示パネル、１ｃは液晶ファインダー、１ｄはメモリカードの挿入口、１ｅはカード／テープ切換キーである。また２は本体に電源を供給する為のバッテリーである。図２はビデオカメラレコーダーを背面から見た図であり、１ｆは電源キー、１ｇはトリガーキーである。
【００１１】
次に構成を説明する。
【００１２】
ビデオカメラレコーダー１には被写体を撮影し記録する為のレンズ、撮像素子、レコーダー（以上不図示）と操作キー１ａ、撮影又は再生映像を表示する為のＬＣＤ表示パネル１ｂ、液晶ファインダー１ｃ、メモリカードを挿入する為の挿入口１ｄ、カード／テープ切換キー１ｅがレイアウトされている。ここで、メモリカード挿入口の蓋は存在するが、本発明の説明上不図示とする。バッテリー装着部の横には撮影／再生モードの切換え及び電源ｏｆｆを行なう３ポジションの電源キーとその中央に押圧操作が可能なトリガーキーが配される。
【００１３】
バッテリー２はビデオカメラレコーダー１に電源を供給する為に電気接点を備えており、ビデオカメラレコーダー１にもバッテリー装着部の所定位置に、バッテリー２が装着されると接触導電が可能なように、電気接点が備えられている。
【００１４】
ビデオカメラレコーダーのモードは撮影モード、再生モードの２つに分かれていて、図２に示すように電源キー１ｆの操作で各モードの切換えが行なわれる。操作キー１ａは撮影モードでは例えばＡＦｏｎ／ｏｆｆ、ＡＥｏｎ／ｏｆｆ、手振れｏｎ／ｏｆｆ、デートｏｎ／ｏｆｆ、エフェクトｏｎ／ｏｆｆ、メニュー、スクロール＋、スクロール−、再生モードではＳＴＯＰ、ＰＬＡＹ、ＦＦ、ＲＷＤ、ＰＡＵＳＥ、メニュー、スクロール＋、スクロール−の各機能が割り当てられており、操作キー自体は照光ＬＥＤにより点灯可能となっている。
【００１５】
図３はこの照光キーの構造を表すＰ−Ｐ断面図であり、図４はＱ−Ｑ断面図である。
【００１６】
１ａは操作キー、１１はタクトＳＷ、１２は照光の為の２色ＬＥＤ、１３はタクトＳＷ、ＬＥＤが実装される基板である。
【００１７】
タクトＳＷ１１、ＬＥＤ１２は操作キーの数と同じ数が、操作キー位置に対応した位置で基板１３上に実装されている。また操作キー１ａは光を拡散する材質で作られており、ＬＥＤ１２の光を受けて各操作キー全体を均一に光らせる。
【００１８】
図５は電気ブロック構成図である。
【００１９】
撮影モード時、レンズからの映像は不図示の撮像素子で光電変換され、映像信号処理回路へ送られる。ここでビデオ信号が生成され、この信号はレコーダーへの信号記録回路／カードへの信号記録回路そしてＬＣＤ表示パネル、液晶ファインダーの表示の為に出力される。操作キーは照光ＬＥＤにより２色に点灯可能となっている。そして操作キーを操作するとマイクロコンピューターは操作キーの指示、例えばＡＦｏｎ，ＡＥｏｎに対してそのプログラム結果を映像信号処理回路に与える。
【００２０】
テープ／カードへの記録の切換えは切換えキー１ｅで行なう。テープ記録の場合は切換えキーでテープを選択し、トリガーキーをｏｎする事でテープ記録がされる。また、この時照光キーは全て緑色に点灯している。一方、カード記録する場合は切換えキーでカードを選択する。本実施例においてはメモリカードが３枚収納可能となっており、それぞれについての挿入口が設けられていて、これらの挿入口にカードを挿入すると、挿入されたカードに対応する照光操作キー例えばメニュー、スクロール＋、スクロール−のキーが赤く点灯する。そして使用者はどのカードに記録するかをこの操作キーを押圧することで選択し、更にトリガーキーをｏｎすることでカードの記録が始まる。カード記録の間、照光操作キーは赤色の点滅をおこなうので、使用者はカード記録中であることが認識できる。
【００２１】
再生モード時、切換えキーでテープを選択すると、レコーダーから信号再生回路を経たビデオ信号はＬＣＤ表示パネル又は液晶ファインダーの表示に使用される。また、この時照光操作キーは緑色に点灯しており、この操作キーの押圧指示によりマイクロコンピューターはＰＬＡＹ、ＦＦ等の制御をレコーダーに与える。一方、切換えキーでカードを選択すると、メモリカードを挿入している挿入口に対応する照光操作キーが赤く点灯する。そしてメモリカードの再生を選択すると再生中のカードに対する操作キーのみ赤く点滅し、使用者はどのメモリカードが再生中かが認識できる。
【００２２】
このようにテープ記録／再生で用いる照光操作キーのうち一部を複数のカードの記録再生アクセスＬＥＤとして割り当てる事で、別個にアクセスＬＥＤを設けなくともカードのアクセス状態が認識できる。
【００２３】
（第２の実施例）
第２の実施例を説明する。
【００２４】
この実施例では２枚以上のカード間でコピーを行なう場合について説明する。
【００２５】
構成は第１の実施例内の図１〜図５と同様であり、操作キー１ａは照光可能となっている。
【００２６】
カードを挿入口に挿入すると挿入された部分に対応する照光操作キーが赤く点灯する。この時、例えばＡのカードからＢのカードへのコピーの命令を行なうとＡに対応する照光操作キーとＢに対応する照光操作キーが点滅する。またこの時他の５つの照光操作キーがＡからＢの方向に順次点滅を繰り返すので、コピーがＡ→Ｂである事、更にＡ，Ｂそれぞれのカードがアクセス中であることを使用者に認知させることができる。
【００２７】
（第３の実施例）
他の実施例としては、カードを挿入してそれに対応する照光操作キーを選択した際、全カード容量に対する記録済み容量の比例値を算出し、それに対応した数の照光ＬＥＤが初めの数秒間だけ点灯する。例えば、本実施例ではカード選択の照光操作キーを除いた５つのキーで容量表示が可能となる。カード容量が８０パーセント以上の時は５つのうち４つの照光キーが点灯、６０〜８０パーセントの時には３つの照光キーが点灯する。このようにして使用者はカードの大まかな使用量を認知する事ができる。
【００２８】
【発明の効果】
以上説明したように、本発明によれば、照光可能な操作キーを備え、着脱可能な複数の記録媒体を有し、撮像素子からの画像信号を記録する記憶装置において、複数の記録媒体の記録状態を前出の照光可能な操作キーの照光状態で表示することで従来、記録媒体の記録状態表示を行なっていた表示手段を廃止することができる。
【００２９】
また、前記記録装置において複数の記録媒体の再生が可能であるとともに、この再生状態を前出の照光可能な操作キーの照光状態で表示することで従来、記録媒体の再生状態表示を行なっていた表示手段を廃止することができる。
【図面の簡単な説明】
【図１】本発明の第１の実施形態におけるビデオカメラレコーダーの側面図。
【図２】本発明の第１の実施形態におけるビデオカメラレコーダーの背面図。
【図３】本発明の第１の実施形態における操作キーの構造を表すＰ−Ｐ断面図。
【図４】本発明の第１の実施形態における操作キーの構造を表すＱ−Ｑ断面図。
【図５】本発明の第１の実施形態における電気ブロック構成図。
【符号の説明】
１　ビデオカメラレコーダー
１ａ　操作キー
１ｂ　ＬＣＤ表示パネル
１ｃ　液晶ファインダー
１ｄ　カード挿入口
１ｅ　テープ／カード切換えキー
１ｆ　電源キー
１ｇ　トリガーキー
１ｆ　電源キー
１１　タクトＳＷ
１２　ＬＥＤ
１３　基Ｅ
２　バッテリー
【図１】
2004005791.tif 000003
【図２】
2004005791.tif 000004
【図３】
2004005791.tif 000005
【図４】
2004005791.tif 000006
【図５】
2004005791.tif 000007